(57)【要約】  配線回路基板の主領域に電子部品が実装され、配線回路基板の端部領域上にＬＥＤが実装される。配線回路基板上に保持プレートが載置され、保持プレート上に導光シートが載置される。保持プレートの主領域は平坦に形成され、保持プレートの端部領域は主領域から凸状に湾曲して斜め下方に傾斜し、さらに凹状に湾曲して側辺の近傍で水平状態となる。保持プレート上に導光シートが載置された状態で配線回路基板が上部ケースに固定される。それにより、導光シートの端部領域の端面が配線回路基板上のＬＥＤの発光面に対向するように湾曲される。
2011030560.tif 000002
【特許請求の範囲】
【請求項１】
配線回路基板と、
前記配線回路基板の一部領域上に前記配線回路基板と間隔をおいて配置される液晶表示パネルと、
前記配線回路基板と前記液晶表示パネルとの間に配置される導光シートと、
前記配線回路基板の前記一部領域に実装される電子部品と、
前記配線回路基板の前記一部領域の外側の第１の領域に実装される第１の発光素子と、
前記一部領域に実装された前記電子部品上に前記導光シートを支持する支持部材と、
前記配線回路基板、前記液晶表示パネル、前記導光シートおよび前記支持部材を収容するケースとを備え、
前記ケースは、前記液晶表示パネルの表示画面の視認のための窓を有し、
前記電子部品は、前記液晶表示パネルおよび前記第１の発光素子に接続される電子回路の少なくとも一部を構成し、
前記導光シートは、光が入射可能な端面と、前記液晶表示パネルに対向しかつ光を出射可能な一面と、前記支持部材に接触する他面とを有し、
前記端面が前記第１の発光素子の発光面に対向するように前記導光シートの一部分が湾曲されて前記配線回路基板の前記第１の領域まで延びる、鞍乗り型車両用表示器。
【請求項２】
前記支持部材は、前記導光シートの前記他面に接触する接触面を有し、前記接触面は、前記配線回路基板の前記一部領域と前記液晶表示パネルとの間に位置する平坦部と、前記平坦部から前記第１の発光素子に近づくように湾曲する湾曲部とを有する、請求項１記載の鞍乗り型車両用表示器。
【請求項３】
前記支持部材の前記接触面は、光を反射するように形成される、請求項２記載の鞍乗り型車両用表示器。
【請求項４】
前記ケースは、前記導光シートの湾曲する前記一部分の形状を保持する形状保持部を有し、
前記形状保持部は、前記支持部材の前記湾曲部に対応する断面形状を有する接触部を含み、
前記導光シートの湾曲する前記一部分は、前記形状保持部の前記接触部と前記支持部材の前記湾曲部との間に挟み込まれるように配置される、請求項２記載の鞍乗り型車両用表示器。
【請求項５】
前記形状保持部は位置決め用突起を有し、
前記導光シートは、前記形状保持部の前記位置決め用突起が貫通する位置決め用孔を有し、
前記支持部材は、前記形状保持部の前記位置決め用突起が挿入される位置決め用孔を有する、請求項４記載の鞍乗り型車両用表示器。
【請求項６】
前記配線回路基板は位置決め用開口を有し、
前記支持部材は、前記配線回路基板の前記位置決め用開口に嵌め込まれる凸部を有する、請求項１記載の鞍乗り型車両用表示器。
【請求項７】
前記支持部材は接続用開口を有し、
前記鞍乗り型車両用表示器は、接続部材をさらに備え、
前記接続部材は、前記支持部材の前記接続用開口に挿入され、前記配線回路基板と前記液晶表示パネルとを電気的に接続する、請求項１記載の鞍乗り型車両用表示器。
【請求項８】
前記配線回路基板の前記一部領域の外側の第２の領域に実装される第２の発光素子をさらに備え、
前記ケースの前記窓は、前記第２の発光素子が視認されるように形成される、請求項１記載の鞍乗り型車両用表示器。
【請求項９】
前記支持部材は、前記第２の発光素子を取り囲む筒体をさらに有する、請求項１記載の鞍乗り型車両用表示器。
【請求項１０】
前記第１の発光素子は発光ダイオードである、請求項１記載の鞍乗り型車両用表示器。
【請求項１１】
本体部と、
前記本体部を移動させるための駆動部と、
請求項１記載の鞍乗り型車両用表示器とを備え、
前記鞍乗り型車両用表示器は、前記本体部および前記駆動部の少なくとも一方の状態を表示する、鞍乗り型車両。
【発明の詳細な説明】
【技術分野】
【０００１】
本発明は、鞍乗り型車両用表示器、およびそれを備えた鞍乗り型車両に関する。
【背景技術】
【０００２】
自動二輪車等の鞍乗り型車両には、走行速度等の情報を表示する表示器が設けられる。このような車両用の表示器として、液晶表示パネルを用いた表示器が開発されている。液晶表示パネルの表示のためには、液晶表示パネルの裏面に光を照射するバックライト装置が必要である。【０００３】
近年、バックライト装置のような面状光源に導光シートが用いられている。特許文献１には、導光シートを用いた照光ユニットが記載されている。照光ユニットは、携帯電話等の操作領域に光を照射するために用いられる。
【特許文献１】特開２００８−２０４６５２号公報
【発明の開示】
【発明が解決しようとする課題】
【０００４】
自動車用の表示器は、運転席のフロントパネルに設けられる。そのため、比較的取り付けスペースに制限が少ない。したがって、液晶表示パネル、バックライト装置および配線回路基板の配置の自由度が高い。これに対して、鞍乗り型車両用表示器は、通常、ハンドルに取り付けられる。あるいは、鞍乗り型車両用表示器は、ハンドルに設けられたフロントカバーに取り付けられる。そのため、鞍乗り型車両用表示器の取り付けスペースの幅および奥行きには制限がある。したがって、鞍乗り型車両用表示器には、自動車用の表示器に比べて、コンパクト化が要求される。【０００５】
本発明の目的は、コンパクト化が可能な鞍乗り型車両用表示器およびそれを備えた鞍乗り型車両を提供することである。
【課題を解決するための手段】
【０００６】
本発明の一局面に従う鞍乗り型車両用表示器は、配線回路基板と、配線回路基板の一部領域上に配線回路基板と間隔をおいて配置される液晶表示パネルと、配線回路基板と液晶表示パネルとの間に配置される導光シートと、配線回路基板の一部領域に実装される電子部品と、配線回路基板の一部領域の外側の第１の領域に実装される第１の発光素子と、一部領域に実装された電子部品上に導光シートを支持する支持部材と、配線回路基板、液晶表示パネル、導光シートおよび支持部材を収容するケースとを備え、ケースは、液晶表示パネルの表示画面の視認のための窓を有し、電子部品は、液晶表示パネルおよび第１の発光素子に接続される電子回路の少なくとも一部を構成し、導光シートは、光が入射可能な端面と、液晶表示パネルに対向しかつ光を出射可能な一面と、支持部材に接触する他面とを有し、端面が第１の発光素子の発光面に対向するように導光シートの一部分が湾曲されて配線回路基板の第１の領域まで延びるものである。【０００７】
導光シートの一面は第１の主面であり、導光シートの他面は導光シートの第２の主面である。導光シートの第２の主面は、第１の主面とは反対側の面である。【０００８】
その鞍乗り型車両用表示器においては、配線回路基板と導光シートとの間に配置される支持部材により、配線回路基板に実装された電子部品上に導光シートが支持される。それにより、配線回路基板と導光シートとの間における配線回路基板の領域に電子部品を実装することができる。また、導光シートの端面が第１の発光素子の発光面に対向するように導光シートの一部分が湾曲されて配線回路基板の第１の領域まで延びる。それにより、第１の発光素子の光を容易かつ正確に導光シートの端面に入射させることができる。このように、配線回路基板に実装された電子部品上に支持部材、導光シートおよび液晶表示パネルが順に配置される。したがって、配線回路基板、支持部材、導光シートおよび液晶表示パネルを小型のケースに収容することができる。その結果、鞍乗り型車両用表示器のコンパクト化が可能になる。【０００９】
支持部材は、導光シートの他面に接触する接触面を有し、接触面は、配線回路基板の一部領域と液晶表示パネルとの間に位置する平坦部と、平坦部から第１の発光素子に近づくように湾曲する湾曲部とを有してもよい。【００１０】
この場合、支持部材の接触面に導光シートの他面が接触する。それにより、液晶表示パネルに対向する導光シートの一面が支持部材の平坦部により平坦に保持されるとともに、導光シートの湾曲する部分の形状が支持部材の湾曲部により保持される。その結果、導光シートの変形が防止される。【００１１】
支持部材の接触面は、光を反射するように形成されてもよい。この場合、導光シートの他面から漏れ出た光が支持部材の接触面により反射される。それにより、導光シートの一面から光が効率良く出射される。【００１２】
ケースは、導光シートの湾曲する一部分の形状を保持する形状保持部を有し、形状保持部は、支持部材の湾曲部に対応する断面形状を有する接触部を含み、導光シートの湾曲する一部分は、形状保持部の接触部と支持部材の湾曲部との間に挟み込まれるように配置されてもよい。【００１３】
この場合、導光シートの一部分がケースの形状保持部の接触部と支持部材の湾曲部との間に挟み込まれることにより、導光シートの一部分が支持部材湾曲部に沿った湾曲形状に保持される。それにより、導光シートの端面と第１の発光素子とが確実に対向する。【００１４】
形状保持部は位置決め用突起を有し、導光シートは、形状保持部の位置決め用突起が貫通する位置決め用孔を有し、支持部材は、形状保持部の位置決め用突起が挿入される位置決め用孔を有してもよい。【００１５】
この場合、導光シートの一部分がケースの形状保持部の接触部と支持部材の湾曲部との間に挟み込まれた状態で、形状保持部の位置決め用突起が導光シートの位置決め用孔を通して支持部材の位置決め用孔に挿入される。それにより、支持部材、導光シートおよび形状保持部が互いに正確に位置決めされるとともに、支持部材および導光シートがケースに保持される。また、鞍乗り型車両用表示器の組み立て時に、支持部材および導光シートをケース内に容易に位置決めすることができる。【００１６】
配線回路基板は位置決め用開口を有し、支持部材は、配線回路基板の位置決め用開口に嵌め込まれる凸部を有してもよい。この場合、配線回路基板および支持部材が互いに正確に位置決めされる。また、鞍乗り型車両用表示器の組み立て時に、配線回路基板と支持部材とを容易に位置決めすることができる。【００１７】
支持部材は接続用開口を有し、鞍乗り型車両用表示器は、接続部材をさらに備え、接続部材は、支持部材の接続用開口に挿入され、配線回路基板と液晶表示パネルとを電気的に接続してもよい。【００１８】
この場合、支持部材を迂回する配線を用いることなく、配線回路基板と液晶表示パネルとを電気的に接続することが可能となる。それにより、鞍乗り型車両用表示器の構成が簡素化される。【００１９】
鞍乗り型車両用表示器は、配線回路基板の一部領域の外側の第２の領域に実装される第２の発光素子をさらに備え、ケースの窓は、第２の発光素子が視認されるように形成されてもよい。【００２０】
この場合、第２の発光素子を所定の状態を表示する表示灯として用いることができる。【００２１】
支持部材は、第２の発光素子を取り囲む筒体をさらに有してもよい。この場合、第２の発光素子に外光が入射しない。それにより、第２の発光素子の視認性が良好となる。【００２２】
第１の発光素子は発光ダイオードであってもよい。この場合、低コストで高い輝度を有するバックライトが実現される。それにより、鞍乗り型車両用表示器の低コスト化および液晶表示パネルの視認性の向上が可能となる。【００２３】
本発明の他の局面に従う鞍乗り型車両は、本体部と、本体部を移動させるための駆動部と、上記の本発明の一局面に従う鞍乗り型車両用表示器とを備え、鞍乗り型車両用表示器は、本体部および駆動部の少なくとも一方の状態を表示する。【００２４】
その鞍乗り型車両においては、駆動部により本体部が移動する。また、本体部および駆動部の少なくとも一方の状態が表示器に表示される。【００２５】
本発明の一局面に従う表示器は、コンパクト化が可能である。したがって、鞍乗り型車両における表示器の取り付けスペースが低減される。
【発明の効果】
【００２６】
本発明によれば、鞍乗り型車両用表示器のコンパクト化が可能になる。
【図面の簡単な説明】
【００２７】
【図１】図１は本発明の一実施の形態に係る表示器の平面図である。
【図２】図２は図１の表示器の斜め上方から見た分解斜視図である。
【図３】図３は図１の表示器の斜め下方から見た分解斜視図である。
【図４】図４は下部ケースの平面図である。
【図５】図５は配線回路基板の平面図である。
【図６】図６は保持プレートの平面図である。
【図７】図７は導光シートの平面図である。
【図８】図８は上部ケースの底面図である。
【図９】図９は本実施の形態に係る表示器の主要部の断面図である。
【図１０】図１０は図９の表示器のＢ部の拡大断面図である。
【図１１】図１１は図１〜図１０の表示器を備えた自動二輪車の側面図である。
【図１２】図１２は図１１の自動二輪車の表示器を含む部分の平面図である。
【発明を実施するための最良の形態】
【００２８】
以下、図面を参照しながら本発明の実施の形態に係る鞍乗り型車両用表示器について説明する。本実施の形態に係る表示器は、自動二輪車等の鞍乗り型車両に取り付けられる。【００２９】
（１）表示器の全体構成
図１は本発明の一実施の形態に係る表示器の平面図である。図２は図１の表示器の斜め上方から見た分解斜視図であり、図３は図１の表示器の斜め下方から見た分解斜視図である。なお、図１および後述の図４〜図８には、表示器が鞍乗り型車両に取り付けられた状態での表示器の前後左右を矢印で表している。【００３０】
図１に示すように、表示器１の上部ケース７０の上面には、表示窓７３が設けられる。表示窓７３には、透明の保護カバー８０が装着される。表示窓７３内の中央部には、液晶表示画面６１を有する液晶表示パネル６０が設けられる。また、表示窓７３内の前部に複数の表示部６３が設けられる。使用者は、保護カバー８０を通して表示窓７３内の液晶表示画面６１および複数の表示部６３を視認することができる。【００３１】
液晶表示画面６１には、車両の走行速度、走行距離、時刻および燃料残量等の情報が文字または図形により表示される。複数の表示部６３には、水温の警告、アッパービームの状態、ハザードランプの点滅、ニュートラルポジションの状態、およびキーの挿入等が図形により表示される。【００３２】
図２および図３に示すように、表示器１は、下部ケース１０、配線回路基板２０、保持プレート３０、接続部材４０、導光シート５０、液晶表示パネル６０および上部ケース７０により構成される。【００３３】
配線回路基板２０、保持プレート３０および導光シート５０によりバックライト装置２が構成される。バックライト装置２により液晶表示パネル６０の下面（裏面）に光が照射される。【００３４】
以下、配線回路基板２０、保持プレート３０、接続部材４０、導光シート５０、液晶表示パネル６０および上部ケース７０の詳細な構成について説明する。【００３５】
（２）表示器の各構成要素
図４は下部ケース１０の平面図、図５は配線回路基板２０の平面図、図６は保持プレート３０の平面図、図７は導光シート５０の平面図、図８は上部ケース７０の底面図である。【００３６】
図４に示すように、下部ケース１０は、底面部１１および側面部１２を有する。底面部１１は、扁平な略八角形状を有し、中心線に関して左右対称に形成される。側面部１２は、底面部１１の外周に沿って底面部１１と一体的に形成される。下部ケース１０は、例えば樹脂により形成される。【００３７】
底面部１１の後方側の中心部には、矩形の開口部１３が形成される。側面部１２の後方側の中心部および左右の両端部には、取り付け部１４がそれぞれ外方に突出するように設けられる。各取り付け部１４には、ねじ孔１４ａが形成される。【００３８】
図５に示すように、配線回路基板２０は、平板形状を有するリジッド配線回路基板である。配線回路基板２０は、矩形の主領域２０ａ、略台形の端部領域２０ｂ、左右に延びる前部領域２０ｃおよび左右に延びる後部領域２０ｄを有する。主領域２０ａは、図２および図３の液晶表示パネル６０の裏面と等しい面積を有する。主領域２０ａおよび端部領域２０ｂは、主領域２０ａの一側辺と端部領域２０ｂの底辺とが連結されるように配置される。主領域２０ａの前方に前部領域２０ｃが隣接し、主領域２０ａの後方に後部領域２０ｄが隣接する。【００３９】
それにより、配線回路基板２０は、前辺２１ａ、後辺２１ｂ、側辺２１ｃ、側辺２１ｄ、斜辺２１ｅおよび斜辺２１ｆを有する。前辺２１ａおよび後辺２１ｂは互いに略平行である。側辺２１ｃおよび側辺２１ｄは互いに略平行であり、前辺２１ａおよび後辺２１ｂに対して略垂直である。斜辺２１ｅおよび斜辺２１ｆは側辺２１ｄに対して傾斜する。主領域２０ａと端部領域２０ｂとの境界線２１ｇは側辺２１ｃ，２１ｄに平行である。【００４０】
配線回路基板２０の外周部に沿って複数のねじ孔２２ａ，２２ｂが形成される。配線回路基板２０の主領域２０ａの上面には、複数の電子部品２９および複数のＬＥＤ（発光ダイオード）２３が実装される。複数の電子部品２９は、例えば、ＣＰＵ（中央演算処理装置）、抵抗、コンデンサ、ダイオードおよびトランジスタである。複数のＬＥＤ２３は、配線回路基板２０の前部領域２０ｃに前辺２１ａに沿って配列される。また、配線回路基板２０の主領域２０ａの上面には、直線状に配列された複数の接続端子からなる接続端子列２４が設けられる。配線回路基板２０の後部領域２０ｄの下面の後辺２１ｂの近傍には、直方体形状のコネクタ２５が実装される。配線回路基板２０の下面にも、複数の電子部品が実装される。【００４１】
配線回路基板２０の端部領域２０ｂには、台形状の開口部２６が形成される。開口部２６は、長辺、短辺および２つの斜辺を有し、長辺、短辺および２つの斜辺が配線回路基板２０の境界線２１ｇ、側辺２１ｄおよび斜辺２１ｅ，２１ｆにそれぞれ平行となるように配置される。【００４２】
配線回路基板２０の端部領域２０ｂの上面において、開口部２６の短辺の近傍にサイドビュー型のＬＥＤ（発光ダイオード）２７が実装される。サイドビュー型のＬＥＤ２７は側面から光を出射する。【００４３】
図６に示すように、保持プレート３０は、矩形の主領域３０ａおよび台形の端部領域３０ｂを有する。主領域３０ａおよび端部領域３０ｂは、主領域３０ａの一側辺と端部領域３０ｂの底辺とが連結されるように配置される。【００４４】
それにより、保持プレート３０は、前辺３１ａ、後辺３１ｂ、側辺３１ｃ、側辺３１ｄ、斜辺３１ｅおよび斜辺３１ｆを有する。前辺３１ａおよび後辺３１ｂは互いに略平行である。側辺３１ｃおよび側辺３１ｄは互いに平行であり、前辺３１ａおよび後辺３１ｂに対して垂直である。斜辺３１ｅおよび斜辺３１ｆは側辺３１ｄに対して傾斜する。主領域３０ａと端部領域３０ｂとの境界線３１ｇは側辺３１ｃ，３１ｄに平行である。【００４５】
保持プレート３０の側辺３１ｃ、後辺３１ｂ、斜辺３１ｅおよび３１ｆからそれぞれ外方に突出するように複数の取り付け部３２が設けられる。各取り付け部３２には、ねじ孔３２ａが形成される。複数のねじ孔３２ａは、図５の配線回路基板２０のねじ孔２２ａに対応する位置に設けられる。【００４６】
保持プレート３０の前辺３１ａには、複数の円筒体３３が一体的に形成される。複数の円筒体３３は、図５の配線回路基板３０上の複数のＬＥＤ２３に対応する位置に配置される。【００４７】
また、保持プレート３０の後辺３１ｂと平行にスリット３４が形成される。スリット３４は、図２および図３の接続部材４０を挿入可能な寸法を有し、図５の配線回路基板３０上の接続端子列２４に対応する位置に設けられる。【００４８】
保持プレート３０の端部領域３０ｂの下面には、側辺３１ｄに沿って台形状の凸部３５が形成される。凸部３５の形状は、図５の配線回路基板２０の開口部２６の形状に対応する。それにより、保持プレート３０の凸部３５は配線回路基板２０の開口部２６に嵌め込み可能である。【００４９】
保持プレート３０の端部領域３０ｂの側辺３１ｄの近傍には、凸部３５を貫通するように２つの孔部３５ａが形成される。保持プレート３０の端部領域３０ｂの詳細な断面形状については後述する。保持プレート３０は、例えば樹脂により一体的に形成される。また、保持プレート３０の上面は、光を反射するように鏡面に加工される。【００５０】
図２および図３の接続部材４０は、板状の樹脂部材内に互いに平行に延びる複数の金属製の接続線（接続棒）を有する。複数の接続線の一端は、樹脂部材の下端面で露出し、複数の接続線の他端は、樹脂部材の上端面で露出する。接続部材４０が保持プレート３０のスリット３４に挿入された状態で、接続部材４０の上端面で露出する複数の接続線の一端が配線回路基板２０の接続端子列２４に接触可能となる。【００５１】
図７に示すように、導光シート５０は、矩形の主領域５０ａおよび台形の端部領域５０ｂを有する。主領域５０ａおよび端部領域５０ｂは、主領域５０ａの一側辺と端部領域５０ｂの底辺とが連結されるように配置される。すなわち、導光シート５０の主領域５０ａは、液晶表示パネル６０の液晶表示画面６１と同じ形状を有し、端部領域５０ｂは主領域５０ａの一側辺に近づくにつれて漸次拡大する幅を有する。【００５２】
それにより、導光シート５０は、前辺５１ａ、後辺５１ｂ、側辺５１ｃ、側辺５１ｄ、斜辺５１ｅおよび斜辺５１ｆを有する。前辺５１ａおよび後辺５１ｂは互いに平行である。側辺５１ｃおよび側辺５１ｄは互いに平行であり、前辺５１ａおよび後辺５１ｂに対して垂直である。斜辺５１ｅおよび斜辺５１ｆは側辺５１ｄに対して傾斜する。主領域５０ａと端部領域５０ｂとの境界線５１ｇは側辺５１ｃ，５１ｄに平行である。【００５３】
導光シート５０の端部領域５０ｂの側辺５１ｄの近傍には、２つの孔部５２が形成される。導光シート５０の孔部５２は、図６の保持プレート３０の孔部３５ａに対応する位置に設けられる。【００５４】
導光シート５０は、可撓性を有し、アクリル、ポリカーボネート、ポリ塩化ビニル、ポリエチレンテレフタレートまたはポリプロピレン等の透明の樹脂により形成される。本実施の形態では、導光シート５０は、アクリルにより形成される。【００５５】
導光シート５０の側辺５１ｄに沿った端面に入射した光は、端部領域５０ｂを通して主領域５０ａに導かれ、主領域５０ａの上面から上方に出射される。導光シート５０の下面には、複数の拡散用ドットが形成される。それにより、主領域５０ａの下面は、上方に光を反射する機能を有する。導光シート５０の詳細な断面形状については後述する。【００５６】
図８には、上部ケース７０を下側から見た図が示される。したがって、図８の上部ケース７０は、図１の上部ケース７０および図４の下部ケース１０と左右逆に示される。【００５７】
図８に示すように、上部ケース７０は、上面部７１および側面部７２を有する。上面部７１は、扁平な略八角形状を有し、中心線に関して左右対称に形成される。側面部７２は、上面部７１の外周に沿って上面部７１と一体的に形成される。上部ケース７０は、例えば樹脂により形成される。【００５８】
上面部７１の中央部には、図１を用いて説明したように、矩形の表示窓７３が形成される。上面部７１の下面側において、表示窓７３の一方の側辺に沿って略台形状の保持部７４が設けられる。保持部７４は、側辺７１ｄ、斜辺７１ｅおよび斜辺７１ｆを有する。保持部７４の形状は、図６の保持プレート３０の端部領域３０ｂの形状に対応する。保持部７４の側辺７１ｄの近傍には、２つの位置決め用突起７７が形成される。保持部７４の位置決め用突起７７は、図６の保持プレート３０の孔部３５ａおよび図７の導光シート５０の孔部５２に対応する位置に設けられる。保持部７４の詳細な断面形状については後述する。【００５９】
上面部７１の下面側において、表示窓７３および保持部７４を取り囲むように、円筒状の複数のねじ固定部７５ａ，７５ｂが形成される。複数のねじ固定部７５ａ，７５ｂの内面には雌ねじが形成される。複数のねじ固定部７５ａは、図５の配線回路基板２０のねじ孔２２ａに対応する位置に設けられる。また、複数のねじ固定部７５ｂは、図５の配線回路基板２０のねじ孔２２ｂに対応する位置に設けられる。【００６０】
上部ケース７０の表示窓７３内には、矩形の枠部７８が上面部７１と一体的に形成される。図８には、枠部７８内に液晶表示パネル６０が嵌め込まれた状態が示される。液晶表示パネル６０の下面には、後辺に沿って直線状に配列された複数の接続端子からなる接続端子列６２が設けられる。液晶表示パネル６０の接続端子列６２には、図２および図３の接続部材４０の上端面に露出する複数の接続線の他端が接触可能となっている。【００６１】
（３）表示器の組み立て方法
ここで、図２および図３を参照しながら表示器１の組み立て方法について説明する。【００６２】
表示器１の組み立ての際には、上部ケース７０の枠部７８（図３）に液晶表示パネル６０が嵌め込まれる。また、配線回路基板２０上に保持プレート３０が載置される。このとき、保持プレート３０の下面の凸部３５が配線回路基板２０の開口部２６に嵌め込まれる。【００６３】
また、保持プレート３０のスリット３４に接続部材４０が挿入される。保持プレート３０のスリット３４と複数の円筒体３３との間の領域に、導光シート５０が載置される。このとき、上部ケース７０の保持部７４の位置決め用突起７７が導光シート５０の孔部５２および保持プレート３０の孔部３５ａに挿入される。これにより、配線回路基板２０上で保持プレート３０および導光シート５０が位置決めされる。【００６４】
この状態で、複数のねじ１５が配線回路基板２０の複数のねじ孔２２ａおよび保持プレート３０の複数のねじ孔３５ａを通して上部ケース７０のねじ固定部７５ａに取り付けられる。また、複数のねじ１５が配線回路基板２０の複数のねじ孔２２ｂを通して上部ケース７０のねじ固定部７５ｂに取り付けられる。それにより、配線回路基板２０、保持プレート３０、導光シート５０および液晶表示パネル６０が上部ケース７０に固定される。さらに、下部ケース１０と上部ケース７０とが接合される。【００６５】
（４）表示器の断面構造
図９は本実施の形態に係る表示器１の主要部の断面図である。また、図１０は図９の表示器１のＢ部の拡大断面図である。【００６６】
図９に示すように、保持プレート３０の主領域３０ａは平坦に形成される。また、保持プレート３０の端部領域３０ｂは、主領域３０ａから凸状に湾曲して斜め下方に傾斜し、さらに凹状に湾曲して側辺３１ｄ（図６参照）の近傍で水平状態となる。保持プレート３０の前辺３１ａ、後辺３１ｂおよび側辺３１ｃ（図６参照）には、下面側に突出するように立縁３７（図９参照）が設けられる。端部領域３０ｂの下面の凸部３５が配線回路基板２０の開口部２６内に嵌め込まれ、主領域３０ａの立縁３７の下面が配線回路基板２０の上面に接触する。それにより、配線回路基板２０の上面側に一定の厚みを有する空間２８が確保される。したがって、配線回路基板２０の上面に複数の電子部品２９を実装することができる。【００６７】
上部ケース７０の保持部７４の下面は、保持プレート３０の端部領域３０ｂの上面に対応する形状を有する。【００６８】
保持プレート３０上に導光シート５０が載置された状態で配線回路基板２０がねじ１５により上部ケース７０に固定される。この場合、導光シート５０の主領域５０ａの前辺５１ａ、後辺５１ｂ、側辺５１ｃおよび境界線５１ｇ（図７参照）の近傍が保持プレート３０の主領域３０ａの上面と上部ケース７０の枠部７８の下面とで挟み込まれる。それにより、導光シート５０の主領域５０ａが平坦な状態で保持される。この場合、導光シート５０の主領域５０ａの下面が保持プレート３０の主領域３０ａの上面に接触する。【００６９】
また、導光シート５０の端部領域５０ｂが保持プレート３０の端部領域３０ｂの上面と上部ケース７０の保持部７４の下面とで挟み込まれる。それにより、導光シート５０の端部領域５０ｂが保持プレート３０の端部領域３０ｂの上面に沿って湾曲する。この場合、導光シート５０の端部領域５０ｂの下面が保持プレート３０の端部領域３０ｂの上面に接触する。その結果、図９に示すように、導光シート５０の端部領域５０ｂは、主領域５０ａとの境界線５１ｇ（図７参照）から凸状に湾曲して斜め下方に傾斜し、さらに凹状に湾曲して側辺５１ｄ（図７参照）の近傍で水平状態となる。【００７０】
図１０に示すように、ＬＥＤ２７は、配線回路基板２０上で導光シート５０の側辺５１ｄ（図７参照）に沿った端面５０ｃの近傍に実装される。ＬＥＤ２７は直方体形状を有し、発光する側面（以下、発光面と呼ぶ）を有する。ＬＥＤ２７の底面が配線回路基板２０の上面に直接接合され、ＬＥＤ２７の発光面が導光シート５０の端面５０ｃに対向する。このとき、ＬＥＤ２７の発光面の中心部の高さが導光シート５０の端面５０ｃの中心部の高さに位置するように、配線回路基板２０の上面から保持プレート３０の端部領域３０ｂの端面の上端までの高さが予め設定される。【００７１】
ＬＥＤ２７の一対の電極は配線回路基板２０上の配線パターンに電気的に接続される。配線回路基板２０上に実装される複数の電子部品２９により表示制御回路が構成される。表示制御回路は、複数のＬＥＤ２３，２７、接続端子列２４およびコネクタ２５（図２および図３）に電気的に接続される。接続端子列２４（図２）は、接続部材４０を通して液晶表示パネル６０の接続端子列６２（図３）に電気的に接続される。【００７２】
表示制御回路には、図２および図３のコネクタ２５を通してＥＣＵ１０８（電子制御ユニット；後述する図１１参照）から制御信号が与えられる。表示制御回路は、制御信号に基づいて液晶表示パネル６０の表示動作を制御するとともに、配線回路基板２０の主領域２０ａに実装された複数のＬＥＤ２３および端部領域２０ｂに実装されたＬＥＤ２７の点灯および消灯を制御する。【００７３】
（５）表示器の動作
図１０のＬＥＤ２７により発生された光は、導光シート５０の端面５０ｃに入射する。その光は、端部領域５０ｂの上面および下面で反射されつつ端部領域５０ｂ内を進行し、図９の主領域５０ａに導かれる。主領域５０ａ内に導かれた光は、主領域５０ａの下面で反射され、主領域５０ａの上面から出射される。それにより、液晶表示パネル６０の裏面に光が照射される。その結果、使用者は、図１に示した表示窓７３内の透明の保護カバー８０を通して液晶表示パネル６０の液晶表示画面６１に表示された情報を視認することができる。【００７４】
また、表示窓７３内における複数の円筒体３３内には、図５の配線回路基板２０上に実装されたＬＥＤ２３が位置する。複数の円筒体３３の上方の保護カバー８０の位置には、水温の警告、アッパービームの状態、ハザードランプの点滅、ニュートラルポジションの状態、およびキーの挿入等を示す図形が表示される。ＬＥＤ２３、円筒体３３および保護カバー８０の図形により表示部６３が構成される。円筒体３３内のＬＥＤ２３が点灯することにより、使用者は表示部６３の図形を視認することができる。【００７５】
（６）実施の形態の効果
本実施の形態においては、保持プレート３０により導光シート５０の主領域５０ａと配線回路基板２０の主領域２０ａとの間に間隔（図９の空間２８）が設けられる。それにより、配線回路基板２０の主領域２０ａの上面が実装可能領域となる。したがって、配線回路基板２０の主領域２０ａに液晶表示パネル６０およびＬＥＤ２３の動作を制御するための表示制御回路を構成する複数の電子部品２９が実装される。このように、配線回路基板２０に実装された複数の電子部品２９上に保持プレート３０、導光シート５０および液晶表示パネル６０が順に配置される。したがって、配線回路基板２０、保持プレート３０、導光シート５０および液晶表示パネル６０を小型の上部ケース７０および下部ケース１０内に収容することができる。その結果、表示器１のコンパクト化が可能となる。【００７６】
また、配線回路基板２０の端部領域２０ｂ上に直接ＬＥＤ２７が実装されるとともに、導光シート５０の端部領域５０ｂの端面５０ｃがＬＥＤ２７の発光面に対向するように端部領域５０ｂが湾曲される。それにより、配線回路基板２０上で導光シート５０の端面５０ｃがＬＥＤ２７の高さに自動的に位置決めされる。そのため、ＬＥＤ２７により発生された光を容易かつ正確に導光シート５０の端面５０ｃに入射させることができる。したがって、導光シート５０の上面から十分な量の光を液晶表示パネル６０の裏面に照射することができる。【００７７】
また、ＬＥＤ２７が配線回路基板２０の上面に直接実装されるので、ＬＥＤ２７と配線回路基板２０との間の電気的接続のために配線回路基板２０から立ち上がるようにリード線を設けることが不要となる。したがって、リード線の破損または切断による不具合が発生しない。そのため、リード線の破損または切断による不具合のための対策を行う必要がない。その結果、表示器１の製造が容易で信頼性が高くなる。【００７８】
また、保持プレート３０の主領域５０ａの上面は光を反射する機能を有するので、導光シート５０の主領域５０ａの下面から漏れ出た光が保持プレート３０の主領域３０ａの上面で反射される。それにより、導光シート５０の主領域５０ａの上面から光が効率良く出射される。【００７９】
また、導光シート５０の主領域５０ａの下面が保持プレート３０の主領域３０ａの上面に接触する。また、導光シート５０の端部領域５０ｂの下面が保持プレート３０の端部領域３０ｂの下面に接触する。それにより、液晶表示パネル６０に対向する導光シート５０の主領域５０ａが保持プレート３０の平坦な主領域３０ａにより平坦に保持されるとともに、導光シート５０の端部領域５０ｂの湾曲形状が保持プレート３０の湾曲した端部領域３０ｂにより保持される。その結果、導光シート５０の撓み等の変形が防止される。【００８０】
特に、上部ケース７０の保持部７４の下面が保持プレート３０の端部領域３０ｂに対応する断面形状を有し、導光シート５０の端部領域５０ｂが保持部７４と保持プレート３０との間に挟み込まれる。それにより、導光シート５０の端部領域５０ｂが保持プレート３０の端部領域３０ｂの上面に沿った湾曲形状に保持される。その結果、導光シート５０の端部領域５０ｂの端面５０ｃとＬＥＤ２７の発光面とがより確実に対向する。【００８１】
表示器１の組み立て時には、導光シート５０の端部領域５０ｂが上部ケース７０の保持部７４と保持プレート３０との間に挟み込まれる。この状態で、保持部７４の位置決め用突起７７が導光シート５０の孔部５２を通して保持プレート３０の孔部３５ａに挿入される。それにより、保持プレート３０、導光シート５０および保持部７４が互いに正確に位置決めされるとともに、保持プレート３０および導光シート５０が上部ケース７０に保持される。このようにして、保持プレート３０および導光シート５０が上部ケース７０内に容易に位置決めされる。【００８２】
さらに、保持プレート３０の凸部３５が配線回路基板２０の開口部２６内に嵌め込まれる。それにより、保持プレート３０および配線回路基板２０が互いに正確に位置決めされる。また、表示器１の組み立て時に、保持プレート３０と配線回路基板２０とを容易に位置決めすることができる。【００８３】
また、保持プレート３０のスリット３４に挿入される接続部材４０により配線回路基板２０と液晶表示パネル６０とが電気的に接続される。それにより、保持プレート３０を迂回する配線を用いることなく、配線回路基板２０と液晶表示パネル６０とを電気的に接続することが可能となる。その結果、表示器１の配線構造が簡素化される。【００８４】
また、導光シート５０の端部領域５０ｂの端面５０ｃは、端部領域５０ｂおよび主領域５０ａの整列方向（前辺５１ａおよび後辺５１ｂの方向）に直交するので、導光シート５０の端部領域５０ｂの端面５０ｃに入射した光が直進することにより主領域５０ａに導かれる。したがって、ＬＥＤ２７により発生される光が効率良く導光シート５０の主領域５０ａの上面から出射される。【００８５】
また、各ＬＥＤ２３が各円筒体３３により取り囲まれるので、ＬＥＤ２３に外光が入射しない。それにより、複数の表示部６３の視認性が良好となる。【００８６】
また、第１および第２の発光素子としてＬＥＤ２３，２７が用いられるので、低コストで高い輝度を有するバックライト装置２が実現される。それにより、表示器１の低コスト化および視認性の向上が可能となる。【００８７】
（７）表示器を備えた自動二輪車
図１１は図１〜図１０の表示器１を備えた自動二輪車の側面図である。図１２は図１１の自動二輪車の表示器１を含む部分の平面図である。【００８８】
図１１に示す自動二輪車１００においては、本体フレーム１０１の前端にヘッドパイプ１０２が設けられる。ヘッドパイプ１０２の上端にはハンドル１０３が設けられる。ヘッドパイプ１０２の上部には、フロントカバー１０４が設けられる。【００８９】
ヘッドパイプ１０２の下端には、フロントフォーク１０５が取り付けられる。この状態で、フロントフォーク１０５は、ヘッドパイプ１０２の軸心を中心として所定の角度範囲内で回転可能となっている。フロントフォーク１０５の下端に前輪１０６が回転可能に支持される。【００９０】
本体フレーム１０１の中央部には、エンジン１０７およびＥＣＵ（電子制御ユニット）１０８およびが設けられる。バッテリ１０９は、本体シート１１０の下部またはサイドカバー内に設けられる。【００９１】
エンジン１０７の後方に延びるように、本体フレーム１０１にリアアーム１１１が接続される。リアアーム１１１は、後輪１１２および後輪ドリブンスプロケット１１３を回転可能に保持する。後輪ドリブンスプロケット１１３には、チェーン１１５が取り付けられる。【００９２】
図１２に示すように、フロントカバー１０４には、図１〜図１０の表示器１が取り付けられる。この場合、図１の取り付け部１４のねじ孔１４ａにねじが挿入されることにより表示器１がフロントカバー１０４に固定される。表示器１のコネクタ２５（図２および図３参照）は、図１１のＥＣＵ１０８に接続される。【００９３】
ＥＣＵ１０８には、自動二輪車１００の後輪１１２の回転速度を検出するためのセンサ、燃料の残量を検出するためのセンサ、冷却水の温度を検出するためのセンサ、および変速機（図示せず）のギアポジションを検出するためのセンサ等の複数のセンサの出力信号が与えられる。ＥＣＵ１０８は、表示器１に液晶表示画面６１の表示および複数の表示部６３の表示を制御するための制御信号を与える。【００９４】
表示器１は、コンパクト化、低コスト化および高信頼性化が可能である。したがって、自動二輪車１００における表示器１の取り付けスペースが低減されるとともに、自動二輪車１００の高性能化、高信頼性化および低コスト化が可能となる。【００９５】
（８）他の実施の形態
上記の実施の形態では、表示器１がフロントカバー１０４に取り付けられるが、表示器１がハンドル１０３に取り付けられてもよい。【００９６】
上記の実施の形態では、液晶表示画面６１に、本体部の状態として、車両の走行速度、走行距離等の情報が表示される。液晶表示画面６１に、駆動部の状態として、エンジン１０７の回転数、エンジン１０７の温度等の他の情報が表示されてもよい。【００９７】
上記実施の形態では、保持プレート３０の上面が光を反射するように鏡面に加工されるが、これに限定されず、例えば、保持プレート３０の上面に金属層のような反射層が形成されてもよい。【００９８】
上記実施の形態では、導光シート５０の下面には、複数の拡散用ドットが形成されるが、これに限定されず、例えば、導光シート５０の下面に光を反射する反射層が形成されてもよい。【００９９】
導光シート５０の湾曲形状は、上記実施の形態の湾曲形状に限定されない。例えば、導光シート５０の端部領域５０ｂが、凸凹状を複数回繰り返して水平状態になるとなるように湾曲してもよい。【０１００】
上記の実施の形態では、表示器１を鞍乗り型車両の一例としてスクータ型の自動二輪車１００に適用しているが、これに限定されない。表示器１をスクータ型以外の形式の自動二輪車に適用してもよい。【０１０１】
また、表示器１は、使用者がシートに跨った状態で走行する自転車、三輪車、バギータイプの四輪車（ＡＴＶ（All Terrain Vehicle））、スノーモービル等の他の鞍乗り型車両に適用することも可能である。【０１０２】
（９）請求項の各構成要素と実施の形態の各構成要素との対応の対応
以下、請求項の各構成要素と実施の形態の各構成要素との対応の例について説明するが、本発明は下記の例に限定されない。【０１０３】
上記実施の形態では、配線回路基板２０が配線回路基板の例であり、主領域２０ａが一部領域の例であり、液晶表示パネル６０が液晶表示パネルの例であり、導光シート５０が導光シートの例であり、電子部品２９が電子部品の例であり、端部領域２０ｂが外側の第１の領域の例であり、ＬＥＤ２９が第１の発光素子の例である。【０１０４】
また、保持プレート３０が支持部材の例であり、上ケース部７０がケースの例であり、液晶表示画面６１が表示画面の例であり、表示窓７３が窓の例であり、複数の電子部品２９により構成される表示制御回路が電子回路の例であり、導光シート５０の端面５０ｃが導光シートの端面の例であり、導光シート５０の上面が導光シートの一面（第１の主面）の例であり、導光シート５０の下面が導光シートの他面（第２の主面）の例である。導光シート５０の端部領域５０ｂが導光シートの一部分の例である。導光シート５０の端部領域５０が導光シート５０の湾曲される一部領域である。【０１０５】
なお、導光シート５０の湾曲される一部分は、導光シートの一部領域の外側でかつ光が入射可能な端面を有する部分である。【０１０６】
保持プレート３０の上面が接触面の例であり、保持プレート３０の主領域３０ａの上面が支持部材の接触面の平坦部の例であり、保持プレート３０の端部領域３０ｂの上面が支持部材の接触面の湾曲部の例である。【０１０７】
さらに、保持部７４が形状保持部の例であり、保持部７４の下面が形状保持部材の接触部の例であり、保持部７４の位置決め用突起７７が形状保持部の位置決め用突起の例であり、導光シート５０の孔部５２が導光シートの位置決め用孔の例であり、保持プレート３０の孔部３５ａが支持部材の位置決め用孔の例である。【０１０８】
また、配線回路基板２０の開口部２６が位置決め用開口の例であり、保持プレート３０の凸部３５が支持部材の凸部の例であり、保持プレート３０のスリット３４が接続用開口の例であり、接続部材４０が接続部材の例であり、前部領域２０ｃが外側の第２の領域の例であり、ＬＥＤ２３が第２の発光素子の例であり、円筒体３３が筒体の例である。【０１０９】
さらに、自動二輪車１００が鞍乗り型車両の例であり、本体フレーム１０１が本体部の例であり、エンジン１０７および後輪１１２が駆動部の例である。【０１１０】
請求項の各構成要素として、請求項に記載されている構成または機能を有する他の種々の構成要素を用いることもできる。
【産業上の利用可能性】
【０１１１】
本発明は、自動二輪車、自転車、三輪車、バギータイプの四輪車、スノーモービル等の種々の鞍乗り型車両に広く適用することができる。
【図１】
2011030560.tif 000003
【図２】
2011030560.tif 000004
【図３】
2011030560.tif 000005
【図４】
2011030560.tif 000006
【図５】
2011030560.tif 000007
【図６】
2011030560.tif 000008
【図７】
2011030560.tif 000009
【図８】
2011030560.tif 000010
【図９】
2011030560.tif 000011
【図１０】
2011030560.tif 000012
【図１１】
2011030560.tif 000013
【図１２】
2011030560.tif 000014
【手続補正書】
【提出日】平成24年3月7日(2012.3.7)
【手続補正１】
【補正対象書類名】明細書
【補正対象項目名】全文
【補正方法】変更
【補正の内容】
【発明の詳細な説明】
【技術分野】
【０００１】
本発明は、鞍乗り型車両用表示器、およびそれを備えた鞍乗り型車両に関する。
【背景技術】
【０００２】
自動二輪車等の鞍乗り型車両には、走行速度等の情報を表示する表示器が設けられる。このような車両用の表示器として、液晶表示パネルを用いた表示器が開発されている。液晶表示パネルの表示のためには、液晶表示パネルの裏面に光を照射するバックライト装置が必要である。
【０００３】
近年、バックライト装置のような面状光源に導光シートが用いられている。特許文献１には、導光シートを用いた照光ユニットが記載されている。照光ユニットは、携帯電話等の操作領域に光を照射するために用いられる。
【特許文献１】特開２００８−２０４６５２号公報
【発明の開示】
【発明が解決しようとする課題】
【０００４】
自動車用の表示器は、運転席のフロントパネルに設けられる。そのため、比較的取り付けスペースに制限が少ない。したがって、液晶表示パネル、バックライト装置および配線回路基板の配置の自由度が高い。これに対して、鞍乗り型車両用表示器は、通常、ハンドルに取り付けられる。あるいは、鞍乗り型車両用表示器は、ハンドルに設けられたフロントカバーに取り付けられる。そのため、鞍乗り型車両用表示器の取り付けスペースの幅および奥行きには制限がある。したがって、鞍乗り型車両用表示器には、自動車用の表示器に比べて、コンパクト化が要求される。
【０００５】
本発明の目的は、コンパクト化が可能な鞍乗り型車両用表示器およびそれを備えた鞍乗り型車両を提供することである。
【課題を解決するための手段】
【０００６】
本発明の一局面に従う鞍乗り型車両用表示器は、配線回路基板と、配線回路基板の一部領域上に配線回路基板と間隔をおいて配置される液晶表示パネルと、配線回路基板と液晶表示パネルとの間に配置される導光シートと、配線回路基板の一部領域に実装される電子部品と、配線回路基板の一部領域の外側の第１の領域に実装される第１の発光素子と、一部領域に実装された電子部品上に導光シートを支持する支持部材と、配線回路基板、液晶表示パネル、導光シートおよび支持部材を収容するケースとを備え、ケースは、液晶表示パネルの表示画面の視認のための窓を有し、電子部品は、液晶表示パネルおよび第１の発光素子に接続される電子回路の少なくとも一部を構成し、導光シートは、光が入射可能な端面と、液晶表示パネルに対向しかつ光を出射可能な一面と、支持部材に接触する他面とを有し、端面が第１の発光素子の発光面に対向するように導光シートの一部分が湾曲されて配線回路基板の第１の領域まで延びるものである。
【０００７】
導光シートの一面は第１の主面であり、導光シートの他面は導光シートの第２の主面である。導光シートの第２の主面は、第１の主面とは反対側の面である。
【０００８】
その鞍乗り型車両用表示器においては、配線回路基板と導光シートとの間に配置される支持部材により、配線回路基板に実装された電子部品上に導光シートが支持される。それにより、配線回路基板と導光シートとの間における配線回路基板の領域に電子部品を実装することができる。また、導光シートの端面が第１の発光素子の発光面に対向するように導光シートの一部分が湾曲されて配線回路基板の第１の領域まで延びる。それにより、第１の発光素子の光を容易かつ正確に導光シートの端面に入射させることができる。このように、配線回路基板に実装された電子部品上に支持部材、導光シートおよび液晶表示パネルが順に配置される。したがって、配線回路基板、支持部材、導光シートおよび液晶表示パネルを小型のケースに収容することができる。その結果、鞍乗り型車両用表示器のコンパクト化が可能になる。
【０００９】
支持部材は、導光シートの他面に接触する接触面を有し、接触面は、配線回路基板の一部領域と液晶表示パネルとの間に位置する平坦部と、平坦部から第１の発光素子に近づくように湾曲する湾曲部とを有してもよい。
【００１０】
この場合、支持部材の接触面に導光シートの他面が接触する。それにより、液晶表示パネルに対向する導光シートの一面が支持部材の平坦部により平坦に保持されるとともに、導光シートの湾曲する部分の形状が支持部材の湾曲部により保持される。その結果、導光シートの変形が防止される。
【００１１】
支持部材の接触面は、光を反射するように形成されてもよい。この場合、導光シートの他面から漏れ出た光が支持部材の接触面により反射される。それにより、導光シートの一面から光が効率良く出射される。
【００１２】
ケースは、導光シートの湾曲する一部分の形状を保持する形状保持部を有し、形状保持部は、支持部材の湾曲部に対応する断面形状を有する接触部を含み、導光シートの湾曲する一部分は、形状保持部の接触部と支持部材の湾曲部との間に挟み込まれるように配置されてもよい。
【００１３】
この場合、導光シートの一部分がケースの形状保持部の接触部と支持部材の湾曲部との間に挟み込まれることにより、導光シートの一部分が支持部材湾曲部に沿った湾曲形状に保持される。それにより、導光シートの端面と第１の発光素子とが確実に対向する。
【００１４】
形状保持部は位置決め用突起を有し、導光シートは、形状保持部の位置決め用突起が貫通する位置決め用孔を有し、支持部材は、形状保持部の位置決め用突起が挿入される位置決め用孔を有してもよい。
【００１５】
この場合、導光シートの一部分がケースの形状保持部の接触部と支持部材の湾曲部との間に挟み込まれた状態で、形状保持部の位置決め用突起が導光シートの位置決め用孔を通して支持部材の位置決め用孔に挿入される。それにより、支持部材、導光シートおよび形状保持部が互いに正確に位置決めされるとともに、支持部材および導光シートがケースに保持される。また、鞍乗り型車両用表示器の組み立て時に、支持部材および導光シートをケース内に容易に位置決めすることができる。
【００１６】
配線回路基板は位置決め用開口を有し、支持部材は、配線回路基板の位置決め用開口に嵌め込まれる凸部を有してもよい。この場合、配線回路基板および支持部材が互いに正確に位置決めされる。また、鞍乗り型車両用表示器の組み立て時に、配線回路基板と支持部材とを容易に位置決めすることができる。
【００１７】
支持部材は接続用開口を有し、鞍乗り型車両用表示器は、接続部材をさらに備え、接続部材は、支持部材の接続用開口に挿入され、配線回路基板と液晶表示パネルとを電気的に接続してもよい。
【００１８】
この場合、支持部材を迂回する配線を用いることなく、配線回路基板と液晶表示パネルとを電気的に接続することが可能となる。それにより、鞍乗り型車両用表示器の構成が簡素化される。
【００１９】
鞍乗り型車両用表示器は、配線回路基板の一部領域の外側の第２の領域に実装される第２の発光素子をさらに備え、ケースの窓は、第２の発光素子が視認されるように形成されてもよい。
【００２０】
この場合、第２の発光素子を所定の状態を表示する表示灯として用いることができる。
【００２１】
支持部材は、第２の発光素子を取り囲む筒体をさらに有してもよい。この場合、第２の発光素子に外光が入射しない。それにより、第２の発光素子の視認性が良好となる。
【００２２】
第１の発光素子は発光ダイオードであってもよい。この場合、低コストで高い輝度を有するバックライトが実現される。それにより、鞍乗り型車両用表示器の低コスト化および液晶表示パネルの視認性の向上が可能となる。
【００２３】
本発明の他の局面に従う鞍乗り型車両は、本体部と、本体部を移動させるための駆動部と、上記の本発明の一局面に従う鞍乗り型車両用表示器とを備え、鞍乗り型車両用表示器は、本体部および駆動部の少なくとも一方の状態を表示する。
【００２４】
その鞍乗り型車両においては、駆動部により本体部が移動する。また、本体部および駆動部の少なくとも一方の状態が表示器に表示される。
【００２５】
本発明の一局面に従う表示器は、コンパクト化が可能である。したがって、鞍乗り型車両における表示器の取り付けスペースが低減される。
【発明の効果】
【００２６】
本発明によれば、鞍乗り型車両用表示器のコンパクト化が可能になる。
【図面の簡単な説明】
【００２７】
【図１】図１は本発明の一実施の形態に係る表示器の平面図である。
【図２】図２は図１の表示器の斜め上方から見た分解斜視図である。
【図３】図３は図１の表示器の斜め下方から見た分解斜視図である。
【図４】図４は下部ケースの平面図である。
【図５】図５は配線回路基板の平面図である。
【図６】図６は保持プレートの平面図である。
【図７】図７は導光シートの平面図である。
【図８】図８は上部ケースの底面図である。
【図９】図９は本実施の形態に係る表示器の主要部の断面図である。
【図１０】図１０は図９の表示器のＢ部の拡大断面図である。
【図１１】図１１は図１〜図１０の表示器を備えた自動二輪車の側面図である。
【図１２】図１２は図１１の自動二輪車の表示器を含む部分の平面図である。
【発明を実施するための最良の形態】
【００２８】
以下、図面を参照しながら本発明の実施の形態に係る鞍乗り型車両用表示器について説明する。本実施の形態に係る表示器は、自動二輪車等の鞍乗り型車両に取り付けられる。
【００２９】
（１）表示器の全体構成
図１は本発明の一実施の形態に係る表示器の平面図である。図２は図１の表示器の斜め上方から見た分解斜視図であり、図３は図１の表示器の斜め下方から見た分解斜視図である。なお、図１および後述の図４〜図８には、表示器が鞍乗り型車両に取り付けられた状態での表示器の前後左右を矢印で表している。
【００３０】
図１に示すように、表示器１の上部ケース７０の上面には、表示窓７３が設けられる。表示窓７３には、透明の保護カバー８０が装着される。表示窓７３内の中央部には、液晶表示画面６１を有する液晶表示パネル６０が設けられる。また、表示窓７３内の前部に複数の表示部６３が設けられる。使用者は、保護カバー８０を通して表示窓７３内の液晶表示画面６１および複数の表示部６３を視認することができる。
【００３１】
液晶表示画面６１には、車両の走行速度、走行距離、時刻および燃料残量等の情報が文字または図形により表示される。複数の表示部６３には、水温の警告、アッパービームの状態、ハザードランプの点滅、ニュートラルポジションの状態、およびキーの挿入等が図形により表示される。
【００３２】
図２および図３に示すように、表示器１は、下部ケース１０、配線回路基板２０、保持プレート３０、接続部材４０、導光シート５０、液晶表示パネル６０および上部ケース７０により構成される。
【００３３】
配線回路基板２０、保持プレート３０および導光シート５０によりバックライト装置２が構成される。バックライト装置２により液晶表示パネル６０の下面（裏面）に光が照射される。
【００３４】
以下、配線回路基板２０、保持プレート３０、接続部材４０、導光シート５０、液晶表示パネル６０および上部ケース７０の詳細な構成について説明する。
【００３５】
（２）表示器の各構成要素
図４は下部ケース１０の平面図、図５は配線回路基板２０の平面図、図６は保持プレート３０の平面図、図７は導光シート５０の平面図、図８は上部ケース７０の底面図である。
【００３６】
図４に示すように、下部ケース１０は、底面部１１および側面部１２を有する。底面部１１は、扁平な略八角形状を有し、中心線に関して左右対称に形成される。側面部１２は、底面部１１の外周に沿って底面部１１と一体的に形成される。下部ケース１０は、例えば樹脂により形成される。
【００３７】
底面部１１の後方側の中心部には、矩形の開口部１３が形成される。側面部１２の後方側の中心部および左右の両端部には、取り付け部１４がそれぞれ外方に突出するように設けられる。各取り付け部１４には、ねじ孔１４ａが形成される。
【００３８】
図５に示すように、配線回路基板２０は、平板形状を有するリジッド配線回路基板である。配線回路基板２０は、矩形の主領域２０ａ、略台形の端部領域２０ｂ、左右に延びる前部領域２０ｃおよび左右に延びる後部領域２０ｄを有する。主領域２０ａは、図２および図３の液晶表示パネル６０の裏面と等しい面積を有する。主領域２０ａおよび端部領域２０ｂは、主領域２０ａの一側辺と端部領域２０ｂの底辺とが連結されるように配置される。主領域２０ａの前方に前部領域２０ｃが隣接し、主領域２０ａの後方に後部領域２０ｄが隣接する。
【００３９】
それにより、配線回路基板２０は、前辺２１ａ、後辺２１ｂ、側辺２１ｃ、側辺２１ｄ、斜辺２１ｅおよび斜辺２１ｆを有する。前辺２１ａおよび後辺２１ｂは互いに略平行である。側辺２１ｃおよび側辺２１ｄは互いに略平行であり、前辺２１ａおよび後辺２１ｂに対して略垂直である。斜辺２１ｅおよび斜辺２１ｆは側辺２１ｄに対して傾斜する。主領域２０ａと端部領域２０ｂとの境界線２１ｇは側辺２１ｃ，２１ｄに平行である。
【００４０】
配線回路基板２０の外周部に沿って複数のねじ孔２２ａ，２２ｂが形成される。配線回路基板２０の主領域２０ａの上面には、複数の電子部品２９および複数のＬＥＤ（発光ダイオード）２３が実装される。複数の電子部品２９は、例えば、ＣＰＵ（中央演算処理装置）、抵抗、コンデンサ、ダイオードおよびトランジスタである。複数のＬＥＤ２３は、配線回路基板２０の前部領域２０ｃに前辺２１ａに沿って配列される。また、配線回路基板２０の主領域２０ａの上面には、直線状に配列された複数の接続端子からなる接続端子列２４が設けられる。配線回路基板２０の後部領域２０ｄの下面の後辺２１ｂの近傍には、直方体形状のコネクタ２５が実装される。配線回路基板２０の下面にも、複数の電子部品が実装される。
【００４１】
配線回路基板２０の端部領域２０ｂには、台形状の開口部２６が形成される。開口部２６は、長辺、短辺および２つの斜辺を有し、長辺、短辺および２つの斜辺が配線回路基板２０の境界線２１ｇ、側辺２１ｄおよび斜辺２１ｅ，２１ｆにそれぞれ平行となるように配置される。
【００４２】
配線回路基板２０の端部領域２０ｂの上面において、開口部２６の短辺の近傍にサイドビュー型のＬＥＤ（発光ダイオード）２７が実装される。サイドビュー型のＬＥＤ２７は側面から光を出射する。
【００４３】
図６に示すように、保持プレート３０は、矩形の主領域３０ａおよび台形の端部領域３０ｂを有する。主領域３０ａおよび端部領域３０ｂは、主領域３０ａの一側辺と端部領域３０ｂの底辺とが連結されるように配置される。
【００４４】
それにより、保持プレート３０は、前辺３１ａ、後辺３１ｂ、側辺３１ｃ、側辺３１ｄ、斜辺３１ｅおよび斜辺３１ｆを有する。前辺３１ａおよび後辺３１ｂは互いに略平行である。側辺３１ｃおよび側辺３１ｄは互いに平行であり、前辺３１ａおよび後辺３１ｂに対して垂直である。斜辺３１ｅおよび斜辺３１ｆは側辺３１ｄに対して傾斜する。主領域３０ａと端部領域３０ｂとの境界線３１ｇは側辺３１ｃ，３１ｄに平行である。
【００４５】
保持プレート３０の側辺３１ｃ、後辺３１ｂ、斜辺３１ｅおよび３１ｆからそれぞれ外方に突出するように複数の取り付け部３２が設けられる。各取り付け部３２には、ねじ孔３２ａが形成される。複数のねじ孔３２ａは、図５の配線回路基板２０のねじ孔２２ａに対応する位置に設けられる。
【００４６】
保持プレート３０の前辺３１ａには、複数の円筒体３３が一体的に形成される。複数の円筒体３３は、図５の配線回路基板２０上の複数のＬＥＤ２３に対応する位置に配置される。
【００４７】
また、保持プレート３０の後辺３１ｂと平行にスリット３４が形成される。スリット３４は、図２および図３の接続部材４０を挿入可能な寸法を有し、図５の配線回路基板２０上の接続端子列２４に対応する位置に設けられる。
【００４８】
保持プレート３０の端部領域３０ｂの下面には、側辺３１ｄに沿って台形状の凸部３５が形成される。凸部３５の形状は、図５の配線回路基板２０の開口部２６の形状に対応する。それにより、保持プレート３０の凸部３５は配線回路基板２０の開口部２６に嵌め込み可能である。
【００４９】
保持プレート３０の端部領域３０ｂの側辺３１ｄの近傍には、凸部３５を貫通するように２つの孔部３５ａが形成される。保持プレート３０の端部領域３０ｂの詳細な断面形状については後述する。保持プレート３０は、例えば樹脂により一体的に形成される。また、保持プレート３０の上面は、光を反射するように鏡面に加工される。
【００５０】
図２および図３の接続部材４０は、板状の樹脂部材内に互いに平行に延びる複数の金属製の接続線（接続棒）を有する。複数の接続線の一端は、樹脂部材の下端面で露出し、複数の接続線の他端は、樹脂部材の上端面で露出する。接続部材４０が保持プレート３０のスリット３４に挿入された状態で、接続部材４０の上端面で露出する複数の接続線の一端が配線回路基板２０の接続端子列２４に接触可能となる。
【００５１】
図７に示すように、導光シート５０は、矩形の主領域５０ａおよび台形の端部領域５０ｂを有する。主領域５０ａおよび端部領域５０ｂは、主領域５０ａの一側辺と端部領域５０ｂの底辺とが連結されるように配置される。すなわち、導光シート５０の主領域５０ａは、液晶表示パネル６０の液晶表示画面６１と同じ形状を有し、端部領域５０ｂは主領域５０ａの一側辺に近づくにつれて漸次拡大する幅を有する。
【００５２】
それにより、導光シート５０は、前辺５１ａ、後辺５１ｂ、側辺５１ｃ、側辺５１ｄ、斜辺５１ｅおよび斜辺５１ｆを有する。前辺５１ａおよび後辺５１ｂは互いに平行である。側辺５１ｃおよび側辺５１ｄは互いに平行であり、前辺５１ａおよび後辺５１ｂに対して垂直である。斜辺５１ｅおよび斜辺５１ｆは側辺５１ｄに対して傾斜する。主領域５０ａと端部領域５０ｂとの境界線５１ｇは側辺５１ｃ，５１ｄに平行である。
【００５３】
導光シート５０の端部領域５０ｂの側辺５１ｄの近傍には、２つの孔部５２が形成される。導光シート５０の孔部５２は、図６の保持プレート３０の孔部３５ａに対応する位置に設けられる。
【００５４】
導光シート５０は、可撓性を有し、アクリル、ポリカーボネート、ポリ塩化ビニル、ポリエチレンテレフタレートまたはポリプロピレン等の透明の樹脂により形成される。本実施の形態では、導光シート５０は、アクリルにより形成される。
【００５５】
導光シート５０の側辺５１ｄに沿った端面に入射した光は、端部領域５０ｂを通して主領域５０ａに導かれ、主領域５０ａの上面から上方に出射される。導光シート５０の下面には、複数の拡散用ドットが形成される。それにより、主領域５０ａの下面は、上方に光を反射する機能を有する。導光シート５０の詳細な断面形状については後述する。
【００５６】
図８には、上部ケース７０を下側から見た図が示される。したがって、図８の上部ケース７０は、図１の上部ケース７０および図４の下部ケース１０と左右逆に示される。
【００５７】
図８に示すように、上部ケース７０は、上面部７１および側面部７２を有する。上面部７１は、扁平な略八角形状を有し、中心線に関して左右対称に形成される。側面部７２は、上面部７１の外周に沿って上面部７１と一体的に形成される。上部ケース７０は、例えば樹脂により形成される。
【００５８】
上面部７１の中央部には、図１を用いて説明したように、矩形の表示窓７３が形成される。上面部７１の下面側において、表示窓７３の一方の側辺に沿って略台形状の保持部７４が設けられる。保持部７４は、側辺７１ｄ、斜辺７１ｅおよび斜辺７１ｆを有する。保持部７４の形状は、図６の保持プレート３０の端部領域３０ｂの形状に対応する。保持部７４の側辺７１ｄの近傍には、２つの位置決め用突起７７が形成される。保持部７４の位置決め用突起７７は、図６の保持プレート３０の孔部３５ａおよび図７の導光シート５０の孔部５２に対応する位置に設けられる。保持部７４の詳細な断面形状については後述する。
【００５９】
上面部７１の下面側において、表示窓７３および保持部７４を取り囲むように、円筒状の複数のねじ固定部７５ａ，７５ｂが形成される。複数のねじ固定部７５ａ，７５ｂの内面には雌ねじが形成される。複数のねじ固定部７５ａは、図５の配線回路基板２０のねじ孔２２ａに対応する位置に設けられる。また、複数のねじ固定部７５ｂは、図５の配線回路基板２０のねじ孔２２ｂに対応する位置に設けられる。
【００６０】
上部ケース７０の表示窓７３内には、矩形の枠部７８が上面部７１と一体的に形成される。図８には、枠部７８内に液晶表示パネル６０が嵌め込まれた状態が示される。液晶表示パネル６０の下面には、後辺に沿って直線状に配列された複数の接続端子からなる接続端子列６２が設けられる。液晶表示パネル６０の接続端子列６２には、図２および図３の接続部材４０の上端面に露出する複数の接続線の他端が接触可能となっている。
【００６１】
（３）表示器の組み立て方法
ここで、図２および図３を参照しながら表示器１の組み立て方法について説明する。
【００６２】
表示器１の組み立ての際には、上部ケース７０の枠部７８（図３）に液晶表示パネル６０が嵌め込まれる。また、配線回路基板２０上に保持プレート３０が載置される。このとき、保持プレート３０の下面の凸部３５が配線回路基板２０の開口部２６に嵌め込まれる。
【００６３】
また、保持プレート３０のスリット３４に接続部材４０が挿入される。保持プレート３０のスリット３４と複数の円筒体３３との間の領域に、導光シート５０が載置される。このとき、上部ケース７０の保持部７４の位置決め用突起７７が導光シート５０の孔部５２および保持プレート３０の孔部３５ａに挿入される。これにより、配線回路基板２０上で保持プレート３０および導光シート５０が位置決めされる。
【００６４】
この状態で、複数のねじ１５が配線回路基板２０の複数のねじ孔２２ａおよび保持プレート３０の複数のねじ孔３２ａを通して上部ケース７０のねじ固定部７５ａに取り付けられる。また、複数のねじ１５が配線回路基板２０の複数のねじ孔２２ｂを通して上部ケース７０のねじ固定部７５ｂに取り付けられる。それにより、配線回路基板２０、保持プレート３０、導光シート５０および液晶表示パネル６０が上部ケース７０に固定される。さらに、下部ケース１０と上部ケース７０とが接合される。
【００６５】
（４）表示器の断面構造
図９は本実施の形態に係る表示器１の主要部の断面図である。また、図１０は図９の表示器１のＢ部の拡大断面図である。
【００６６】
図９に示すように、保持プレート３０の主領域３０ａは平坦に形成される。また、保持プレート３０の端部領域３０ｂは、主領域３０ａから凸状に湾曲して斜め下方に傾斜し、さらに凹状に湾曲して側辺３１ｄ（図６参照）の近傍で水平状態となる。保持プレート３０の前辺３１ａ、後辺３１ｂおよび側辺３１ｃ（図６参照）には、下面側に突出するように立縁３７（図９参照）が設けられる。端部領域３０ｂの下面の凸部３５が配線回路基板２０の開口部２６内に嵌め込まれ、主領域３０ａの立縁３７の下面が配線回路基板２０の上面に接触する。それにより、配線回路基板２０の上面側に一定の厚みを有する空間２８が確保される。したがって、配線回路基板２０の上面に複数の電子部品２９を実装することができる。
【００６７】
上部ケース７０の保持部７４の下面は、保持プレート３０の端部領域３０ｂの上面に対応する形状を有する。
【００６８】
保持プレート３０上に導光シート５０が載置された状態で配線回路基板２０がねじ１５により上部ケース７０に固定される。この場合、導光シート５０の主領域５０ａの前辺５１ａ、後辺５１ｂ、側辺５１ｃおよび境界線５１ｇ（図７参照）の近傍が保持プレート３０の主領域３０ａの上面と上部ケース７０の枠部７８の下面とで挟み込まれる。それにより、導光シート５０の主領域５０ａが平坦な状態で保持される。この場合、導光シート５０の主領域５０ａの下面が保持プレート３０の主領域３０ａの上面に接触する。
【００６９】
また、導光シート５０の端部領域５０ｂが保持プレート３０の端部領域３０ｂの上面と上部ケース７０の保持部７４の下面とで挟み込まれる。それにより、導光シート５０の端部領域５０ｂが保持プレート３０の端部領域３０ｂの上面に沿って湾曲する。この場合、導光シート５０の端部領域５０ｂの下面が保持プレート３０の端部領域３０ｂの上面に接触する。その結果、図９に示すように、導光シート５０の端部領域５０ｂは、主領域５０ａとの境界線５１ｇ（図７参照）から凸状に湾曲して斜め下方に傾斜し、さらに凹状に湾曲して側辺５１ｄ（図７参照）の近傍で水平状態となる。
【００７０】
図１０に示すように、ＬＥＤ２７は、配線回路基板２０上で導光シート５０の側辺５１ｄ（図７参照）に沿った端面５０ｃの近傍に実装される。ＬＥＤ２７は直方体形状を有し、発光する側面（以下、発光面と呼ぶ）を有する。ＬＥＤ２７の底面が配線回路基板２０の上面に直接接合され、ＬＥＤ２７の発光面が導光シート５０の端面５０ｃに対向する。このとき、ＬＥＤ２７の発光面の中心部の高さが導光シート５０の端面５０ｃの中心部の高さに位置するように、配線回路基板２０の上面から保持プレート３０の端部領域３０ｂの端面の上端までの高さが予め設定される。
【００７１】
ＬＥＤ２７の一対の電極は配線回路基板２０上の配線パターンに電気的に接続される。配線回路基板２０上に実装される複数の電子部品２９により表示制御回路が構成される。表示制御回路は、複数のＬＥＤ２３，２７、接続端子列２４およびコネクタ２５（図２および図３）に電気的に接続される。接続端子列２４（図２）は、接続部材４０を通して液晶表示パネル６０の接続端子列６２（図３）に電気的に接続される。
【００７２】
表示制御回路には、図２および図３のコネクタ２５を通してＥＣＵ１０８（電子制御ユニット；後述する図１１参照）から制御信号が与えられる。表示制御回路は、制御信号に基づいて液晶表示パネル６０の表示動作を制御するとともに、配線回路基板２０の主領域２０ａに実装された複数のＬＥＤ２３および端部領域２０ｂに実装されたＬＥＤ２７の点灯および消灯を制御する。
【００７３】
（５）表示器の動作
図１０のＬＥＤ２７により発生された光は、導光シート５０の端面５０ｃに入射する。その光は、端部領域５０ｂの上面および下面で反射されつつ端部領域５０ｂ内を進行し、図９の主領域５０ａに導かれる。主領域５０ａ内に導かれた光は、主領域５０ａの下面で反射され、主領域５０ａの上面から出射される。それにより、液晶表示パネル６０の裏面に光が照射される。その結果、使用者は、図１に示した表示窓７３内の透明の保護カバー８０を通して液晶表示パネル６０の液晶表示画面６１に表示された情報を視認することができる。
【００７４】
また、表示窓７３内における複数の円筒体３３内には、図５の配線回路基板２０上に実装されたＬＥＤ２３が位置する。複数の円筒体３３の上方の保護カバー８０の位置には、水温の警告、アッパービームの状態、ハザードランプの点滅、ニュートラルポジションの状態、およびキーの挿入等を示す図形が表示される。ＬＥＤ２３、円筒体３３および保護カバー８０の図形により表示部６３が構成される。円筒体３３内のＬＥＤ２３が点灯することにより、使用者は表示部６３の図形を視認することができる。
【００７５】
（６）実施の形態の効果
本実施の形態においては、保持プレート３０により導光シート５０の主領域５０ａと配線回路基板２０の主領域２０ａとの間に間隔（図９の空間２８）が設けられる。それにより、配線回路基板２０の主領域２０ａの上面が実装可能領域となる。したがって、配線回路基板２０の主領域２０ａに液晶表示パネル６０およびＬＥＤ２３の動作を制御するための表示制御回路を構成する複数の電子部品２９が実装される。このように、配線回路基板２０に実装された複数の電子部品２９上に保持プレート３０、導光シート５０および液晶表示パネル６０が順に配置される。したがって、配線回路基板２０、保持プレート３０、導光シート５０および液晶表示パネル６０を小型の上部ケース７０および下部ケース１０内に収容することができる。その結果、表示器１のコンパクト化が可能となる。
【００７６】
また、配線回路基板２０の端部領域２０ｂ上に直接ＬＥＤ２７が実装されるとともに、導光シート５０の端部領域５０ｂの端面５０ｃがＬＥＤ２７の発光面に対向するように端部領域５０ｂが湾曲される。それにより、配線回路基板２０上で導光シート５０の端面５０ｃがＬＥＤ２７の高さに自動的に位置決めされる。そのため、ＬＥＤ２７により発生された光を容易かつ正確に導光シート５０の端面５０ｃに入射させることができる。したがって、導光シート５０の上面から十分な量の光を液晶表示パネル６０の裏面に照射することができる。
【００７７】
また、ＬＥＤ２７が配線回路基板２０の上面に直接実装されるので、ＬＥＤ２７と配線回路基板２０との間の電気的接続のために配線回路基板２０から立ち上がるようにリード線を設けることが不要となる。したがって、リード線の破損または切断による不具合が発生しない。そのため、リード線の破損または切断による不具合のための対策を行う必要がない。その結果、表示器１の製造が容易で信頼性が高くなる。
【００７８】
また、保持プレート３０の主領域３０ａの上面は光を反射する機能を有するので、導光シート５０の主領域５０ａの下面から漏れ出た光が保持プレート３０の主領域３０ａの上面で反射される。それにより、導光シート５０の主領域５０ａの上面から光が効率良く出射される。
【００７９】
また、導光シート５０の主領域５０ａの下面が保持プレート３０の主領域３０ａの上面に接触する。また、導光シート５０の端部領域５０ｂの下面が保持プレート３０の端部領域３０ｂの下面に接触する。それにより、液晶表示パネル６０に対向する導光シート５０の主領域５０ａが保持プレート３０の平坦な主領域３０ａにより平坦に保持されるとともに、導光シート５０の端部領域５０ｂの湾曲形状が保持プレート３０の湾曲した端部領域３０ｂにより保持される。その結果、導光シート５０の撓み等の変形が防止される。
【００８０】
特に、上部ケース７０の保持部７４の下面が保持プレート３０の端部領域３０ｂに対応する断面形状を有し、導光シート５０の端部領域５０ｂが保持部７４と保持プレート３０との間に挟み込まれる。それにより、導光シート５０の端部領域５０ｂが保持プレート３０の端部領域３０ｂの上面に沿った湾曲形状に保持される。その結果、導光シート５０の端部領域５０ｂの端面５０ｃとＬＥＤ２７の発光面とがより確実に対向する。
【００８１】
表示器１の組み立て時には、導光シート５０の端部領域５０ｂが上部ケース７０の保持部７４と保持プレート３０との間に挟み込まれる。この状態で、保持部７４の位置決め用突起７７が導光シート５０の孔部５２を通して保持プレート３０の孔部３５ａに挿入される。それにより、保持プレート３０、導光シート５０および保持部７４が互いに正確に位置決めされるとともに、保持プレート３０および導光シート５０が上部ケース７０に保持される。このようにして、保持プレート３０および導光シート５０が上部ケース７０内に容易に位置決めされる。
【００８２】
さらに、保持プレート３０の凸部３５が配線回路基板２０の開口部２６内に嵌め込まれる。それにより、保持プレート３０および配線回路基板２０が互いに正確に位置決めされる。また、表示器１の組み立て時に、保持プレート３０と配線回路基板２０とを容易に位置決めすることができる。
【００８３】
また、保持プレート３０のスリット３４に挿入される接続部材４０により配線回路基板２０と液晶表示パネル６０とが電気的に接続される。それにより、保持プレート３０を迂回する配線を用いることなく、配線回路基板２０と液晶表示パネル６０とを電気的に接続することが可能となる。その結果、表示器１の配線構造が簡素化される。
【００８４】
また、導光シート５０の端部領域５０ｂの端面５０ｃは、端部領域５０ｂおよび主領域５０ａの整列方向（前辺５１ａおよび後辺５１ｂの方向）に直交するので、導光シート５０の端部領域５０ｂの端面５０ｃに入射した光が直進することにより主領域５０ａに導かれる。したがって、ＬＥＤ２７により発生される光が効率良く導光シート５０の主領域５０ａの上面から出射される。
【００８５】
また、各ＬＥＤ２３が各円筒体３３により取り囲まれるので、ＬＥＤ２３に外光が入射しない。それにより、複数の表示部６３の視認性が良好となる。
【００８６】
また、第１および第２の発光素子としてＬＥＤ２３，２７が用いられるので、低コストで高い輝度を有するバックライト装置２が実現される。それにより、表示器１の低コスト化および視認性の向上が可能となる。
【００８７】
（７）表示器を備えた自動二輪車
図１１は図１〜図１０の表示器１を備えた自動二輪車の側面図である。図１２は図１１の自動二輪車の表示器１を含む部分の平面図である。
【００８８】
図１１に示す自動二輪車１００においては、本体フレーム１０１の前端にヘッドパイプ１０２が設けられる。ヘッドパイプ１０２の上端にはハンドル１０３が設けられる。ヘッドパイプ１０２の上部には、フロントカバー１０４が設けられる。
【００８９】
ヘッドパイプ１０２の下端には、フロントフォーク１０５が取り付けられる。この状態で、フロントフォーク１０５は、ヘッドパイプ１０２の軸心を中心として所定の角度範囲内で回転可能となっている。フロントフォーク１０５の下端に前輪１０６が回転可能に支持される。
【００９０】
本体フレーム１０１の中央部には、エンジン１０７およびＥＣＵ（電子制御ユニット）１０８およびが設けられる。バッテリ１０９は、本体シート１１０の下部またはサイドカバー内に設けられる。
【００９１】
エンジン１０７の後方に延びるように、本体フレーム１０１にリアアーム１１１が接続される。リアアーム１１１は、後輪１１２および後輪ドリブンスプロケット１１３を回転可能に保持する。後輪ドリブンスプロケット１１３には、チェーン１１５が取り付けられる。
【００９２】
図１２に示すように、フロントカバー１０４には、図１〜図１０の表示器１が取り付けられる。この場合、図１の取り付け部１４のねじ孔１４ａにねじが挿入されることにより表示器１がフロントカバー１０４に固定される。表示器１のコネクタ２５（図２および図３参照）は、図１１のＥＣＵ１０８に接続される。
【００９３】
ＥＣＵ１０８には、自動二輪車１００の後輪１１２の回転速度を検出するためのセンサ、燃料の残量を検出するためのセンサ、冷却水の温度を検出するためのセンサ、および変速機（図示せず）のギアポジションを検出するためのセンサ等の複数のセンサの出力信号が与えられる。ＥＣＵ１０８は、表示器１に液晶表示画面６１の表示および複数の表示部６３の表示を制御するための制御信号を与える。
【００９４】
表示器１は、コンパクト化、低コスト化および高信頼性化が可能である。したがって、自動二輪車１００における表示器１の取り付けスペースが低減されるとともに、自動二輪車１００の高性能化、高信頼性化および低コスト化が可能となる。
【００９５】
（８）他の実施の形態
上記の実施の形態では、表示器１がフロントカバー１０４に取り付けられるが、表示器１がハンドル１０３に取り付けられてもよい。
【００９６】
上記の実施の形態では、液晶表示画面６１に、本体部の状態として、車両の走行速度、走行距離等の情報が表示される。液晶表示画面６１に、駆動部の状態として、エンジン１０７の回転数、エンジン１０７の温度等の他の情報が表示されてもよい。
【００９７】
上記実施の形態では、保持プレート３０の上面が光を反射するように鏡面に加工されるが、これに限定されず、例えば、保持プレート３０の上面に金属層のような反射層が形成されてもよい。
【００９８】
上記実施の形態では、導光シート５０の下面には、複数の拡散用ドットが形成されるが、これに限定されず、例えば、導光シート５０の下面に光を反射する反射層が形成されてもよい。
【００９９】
導光シート５０の湾曲形状は、上記実施の形態の湾曲形状に限定されない。例えば、導光シート５０の端部領域５０ｂが、凸凹状を複数回繰り返して水平状態になるとなるように湾曲してもよい。
【０１００】
上記の実施の形態では、表示器１を鞍乗り型車両の一例としてスクータ型の自動二輪車１００に適用しているが、これに限定されない。表示器１をスクータ型以外の形式の自動二輪車に適用してもよい。
【０１０１】
また、表示器１は、使用者がシートに跨った状態で走行する自転車、三輪車、バギータイプの四輪車（ＡＴＶ（All Terrain Vehicle））、スノーモービル等の他の鞍乗り型車両に適用することも可能である。
【０１０２】
（９）請求項の各構成要素と実施の形態の各構成要素との対応の対応
以下、請求項の各構成要素と実施の形態の各構成要素との対応の例について説明するが、本発明は下記の例に限定されない。
【０１０３】
上記実施の形態では、配線回路基板２０が配線回路基板の例であり、主領域２０ａが一部領域の例であり、液晶表示パネル６０が液晶表示パネルの例であり、導光シート５０が導光シートの例であり、電子部品２９が電子部品の例であり、端部領域２０ｂが外側の第１の領域の例であり、ＬＥＤ２７が第１の発光素子の例である。
【０１０４】
また、保持プレート３０が支持部材の例であり、上ケース部７０がケースの例であり、液晶表示画面６１が表示画面の例であり、表示窓７３が窓の例であり、複数の電子部品２９により構成される表示制御回路が電子回路の例であり、導光シート５０の端面５０ｃが導光シートの端面の例であり、導光シート５０の上面が導光シートの一面（第１の主面）の例であり、導光シート５０の下面が導光シートの他面（第２の主面）の例である。導光シート５０の端部領域５０ｂが導光シートの一部分の例である。導光シート５０の端部領域５０ｂが導光シート５０の湾曲される一部領域である。
【０１０５】
なお、導光シート５０の湾曲される一部分は、導光シートの一部領域の外側でかつ光が入射可能な端面を有する部分である。
【０１０６】
保持プレート３０の上面が接触面の例であり、保持プレート３０の主領域３０ａの上面が支持部材の接触面の平坦部の例であり、保持プレート３０の端部領域３０ｂの上面が支持部材の接触面の湾曲部の例である。
【０１０７】
さらに、保持部７４が形状保持部の例であり、保持部７４の下面が形状保持部材の接触部の例であり、保持部７４の位置決め用突起７７が形状保持部の位置決め用突起の例であり、導光シート５０の孔部５２が導光シートの位置決め用孔の例であり、保持プレート３０の孔部３５ａが支持部材の位置決め用孔の例である。
【０１０８】
また、配線回路基板２０の開口部２６が位置決め用開口の例であり、保持プレート３０の凸部３５が支持部材の凸部の例であり、保持プレート３０のスリット３４が接続用開口の例であり、接続部材４０が接続部材の例であり、前部領域２０ｃが外側の第２の領域の例であり、ＬＥＤ２３が第２の発光素子の例であり、円筒体３３が筒体の例である。
【０１０９】
さらに、自動二輪車１００が鞍乗り型車両の例であり、本体フレーム１０１が本体部の例であり、エンジン１０７および後輪１１２が駆動部の例である。
【０１１０】
請求項の各構成要素として、請求項に記載されている構成または機能を有する他の種々の構成要素を用いることもできる。
【産業上の利用可能性】
【０１１１】
本発明は、自動二輪車、自転車、三輪車、バギータイプの四輪車、スノーモービル等の種々の鞍乗り型車両に広く適用することができる。
【手続補正２】
【補正対象書類名】特許請求の範囲
【補正対象項目名】全文
【補正方法】変更
【補正の内容】
【特許請求の範囲】
【請求項１】
配線回路基板と、
前記配線回路基板の一部領域上に前記配線回路基板と間隔をおいて配置される液晶表示パネルと、
前記配線回路基板と前記液晶表示パネルとの間に配置される導光シートと、
前記配線回路基板の前記一部領域に実装される電子部品と、
前記配線回路基板の前記一部領域の外側の第１の領域に実装される第１の発光素子と、
前記一部領域に実装された前記電子部品上に前記導光シートを支持する支持部材と、
前記配線回路基板、前記液晶表示パネル、前記導光シートおよび前記支持部材を収容するケースとを備え、
前記ケースは、前記液晶表示パネルの表示画面の視認のための窓を有し、
前記電子部品は、前記液晶表示パネルおよび前記第１の発光素子に接続される電子回路の少なくとも一部を構成し、
前記導光シートは、光が入射可能な端面と、前記液晶表示パネルに対向しかつ光を出射可能な一面と、前記支持部材に接触する他面とを有し、
前記端面が前記第１の発光素子の発光面に対向するように前記導光シートの一部分が湾曲されて前記配線回路基板の前記第１の領域まで延びる、鞍乗り型車両用表示器。
【請求項２】
前記支持部材は、前記導光シートの前記他面に接触する接触面を有し、前記接触面は、前記配線回路基板の前記一部領域と前記液晶表示パネルとの間に位置する平坦部と、前記平坦部から前記第１の発光素子に近づくように湾曲する湾曲部とを有する、請求項１記載の鞍乗り型車両用表示器。
【請求項３】
前記支持部材の前記接触面は、光を反射するように形成される、請求項２記載の鞍乗り型車両用表示器。
【請求項４】
前記ケースは、前記導光シートの湾曲する前記一部分の形状を保持する形状保持部を有し、
前記形状保持部は、前記支持部材の前記湾曲部に対応する断面形状を有する接触部を含み、
前記導光シートの湾曲する前記一部分は、前記形状保持部の前記接触部と前記支持部材の前記湾曲部との間に挟み込まれるように配置される、請求項２記載の鞍乗り型車両用表示器。
【請求項５】
前記形状保持部は位置決め用突起を有し、
前記導光シートは、前記形状保持部の前記位置決め用突起が貫通する位置決め用孔を有し、
前記支持部材は、前記形状保持部の前記位置決め用突起が挿入される位置決め用孔を有する、請求項４記載の鞍乗り型車両用表示器。
【請求項６】
前記配線回路基板は位置決め用開口を有し、
前記支持部材は、前記配線回路基板の前記位置決め用開口に嵌め込まれる凸部を有する、請求項１記載の鞍乗り型車両用表示器。
【請求項７】
前記支持部材は接続用開口を有し、
前記鞍乗り型車両用表示器は、接続部材をさらに備え、
前記接続部材は、前記支持部材の前記接続用開口に挿入され、前記配線回路基板と前記液晶表示パネルとを電気的に接続する、請求項１記載の鞍乗り型車両用表示器。
【請求項８】
前記配線回路基板の前記一部領域の外側の第２の領域に実装される第２の発光素子をさらに備え、
前記ケースの前記窓は、前記第２の発光素子が視認されるように形成される、請求項１記載の鞍乗り型車両用表示器。
【請求項９】
前記支持部材は、前記第２の発光素子を取り囲む筒体をさらに有する、請求項８記載の鞍乗り型車両用表示器。
【請求項１０】
前記第１の発光素子は発光ダイオードである、請求項１記載の鞍乗り型車両用表示器。
【請求項１１】
本体部と、
前記本体部を移動させるための駆動部と、
請求項１記載の鞍乗り型車両用表示器とを備え、
前記鞍乗り型車両用表示器は、前記本体部および前記駆動部の少なくとも一方の状態を表示する、鞍乗り型車両。
【国際調査報告】
2011030560.tif 000015
2011030560.tif 000016
2011030560.tif 000017
2011030560.tif 000018